(57)【要約】      （修正有）【課題】人が複数腰掛けられるベンチの下をペットハウスとしたもので、前面と側面を取外し自在のネットとし上面を開閉式として解放面を多く取り入れ、狭い居住空間を効率良く活用し併せてペットの行動範囲を飛躍的に高めたところを特徴とする室内用ベンチ式ペットハウスを提供する。【解決手段】直方体とコーナー用の両本体を連結し視野に入る各面を取外し自在のネットないし開閉式とし、ペットの行き来を可能とさせ行動量・行動領域を拡大させている。かつ本体内の内容物の取出し清掃等対応が簡便となり、ベンチの機能を保持しインテリアとしての価値を高めている。同一体の増結や居住宅の広さに応じそれぞれの本体の組合わせ・連結を可能とし、活用幅を増やし併せてペットを観賞する領域を増大させ、多機能性を一体化する。【選択図】図１
0003122804.tif 000002
【実用新案登録請求の範囲】
【請求項１】
直方体の骨組み本体の裏面と底部を板等の適宜素材にて覆い、正面と両側面に取外し自在のネット（金属製・合成樹皮又は木製→以下同じ）を設け、上面の後方３分の１の面を板等の適宜素材にて固定し、上面の前方３分の２部分を同一材質による蝶番を取付けた開閉式の蓋を設け、前面中央に補強材を垂直に設け人が腰掛けられるベンチ式としたもので、裏面を除く周囲３面のネットを取外し自在とし解放面を多用し上面を開閉式とし、両サイドを連結可能とし多義の機能性を取り入れ、ペット（主に犬、以下同じ）の住まいとベンチの機能を併せたところを特徴とする室内用ベンチ式ペットハウス（犬であれば犬舎、以下同じ）。
【請求項２】
室内のコーナー（９０度角、以下同じ）に設けるＬ型角（すみ）切り直方体の骨組み本体（下図参照、以下請求項２の本体）のコーナーの壁に接する裏側２面と底部を板等の適宜素材にて覆い、壁と相対する２つの前面・側面を取外し自在のネットとし、角切り部分の前面を耐久力のあるネットで固定し、上面は室内壁に接する角から角切りのコーナー寄りの角で左右に分け２面とし請求項１と同じくそれぞれの上面の後方の３分の１を板等で固定し他を蝶番を用いた開閉式の蓋とし、解放面を多用し両サイドを連結可能とし、室内のコーナーを巧みに活用しペットの行動範囲を広げ併せてベンチの機能を保持し、請求項１と連結することで一体となりペットの行動領域と観察領域を大幅に広げ、狭い居住空間の活用幅を高めたところを特徴とする室内用ベンチ式ペットハウス。
参照：Ｌ型角（すみ）切り直方体の骨組み本体の基本図
0003122804.tif 000003
【考案の詳細な説明】
【技術分野】
【０００１】  本考案は、人が複数腰掛けられるベンチの下をペットハウスとしたもので、前面と側面を取外し自在のネットとし上面を開閉式として解放面を多く取り入れ、狭い居住空間を効率良く活用し併せてペットの行動範囲を飛躍的に高めたところを特徴とする室内用ベンチ式ペットハウスに関するものである。
【背景技術】
【０００２】  室内用としては、殆どの製品は合成樹皮製品を底台とした周りを金属製等の素材のネットで囲んだケージ（通称）の組合わせで、１ケ所の出入り口を設け組み立て式としており、極めて単調な造りと簡易な素材で製品化されているのが実状であり堅牢でベンチを兼用しているものは皆無である。犬小屋風のものは、小屋の内部は風通しが利かず暗く視野が届かず、汚物等の処理やメンテの面で難点が多く、見栄えは良くしているが室内用としての実用性やペット自体からの居住性は無視されている傾向が高く、各面を解放式としたベンチを兼用しているものは全く無い。また、コーナー用に設置できる製品自体が全く無く、室内の壁際を連結で繋ぎインテリアとして評価される製品も皆無である。
【考案の開示】
【考案が解決しようとする課題】
【０００３】  従来製品は４面（周囲）をネットで囲んだものであったり犬小屋風のものであれば、排便・排尿と遊び寝る場所が特定されないため、ペット自体の生活の区切りや躾もできず居住性は解決されていない。かつ、無機能な単一構造物の囲いや室内に於ける屋根のある犬小屋となれば、ファション性からも変異なものとしか写らずペットの行動を人が生活の場で看取し楽しむこともなく、問題は殆ど解決されていないのが現状である。
ペット自体の居心地や住居内での人とペットとの融合が如何に永続的に計れるかが本考案の原点であり、室内のコーナーを利用したベンチ式とすれば請求項１・請求項２の単一連結並びに複数連結等組合わせは自在となり、ネット多用の効用も含め人の監視や清掃等も容易となり排便・排尿のペットの躾のスペースも確保され、多機能性として一体化することにより前述の欠点を解決しようとするものである。
【課題を解決するための手段】
【０００４】  本考案は、住居内での人とペットとの融合を原点としテーマとしていることから、何よりも囲いの中で躍動するペットの行動がつぶさにかつ楽しく観察でき得るべく、変化に富んだ空間を設けペットの行動範囲を広げ、それらを品位ある住まいの家具と対比鑑賞するに値する玲瓏な格調高い家具調ペットハウスとするため、請求項１の本体の前面（正面）と両側面を取外し自在のネットとすることで取外し自在となり同一体並びに請求項２の増結を可能とし、前面中央に補強材を垂直に設け相当量の重量に耐えるベンチの機能を保ち、上部は３分の１の奥の部分を固定し前部の３分の２を蝶番を取付けた開閉自在の蓋とすることで上部・前面部・側面部とも取外し並びに開放を自在とし内部の手入れを等を容易としている。
請求項２の本体は壁と相対する２つの前面・側面を取外し自在のネットとし、角切り部分の前面を耐久力のあるネットで固定することで請求項１と同様にベンチの機能を保ち、上部・前面部・側面部とも取外し並びに開放を自在とし内部の手入れを等を容易としペットの出し入れや清掃等を可能としている。
本考案は、請求項１の本体と請求項２の本体を連結をすることで、ペットの行動（生活）の区切りを習慣化する遊び寝る場所と躾用としての排便・排尿の場所が確保されペットの生活機能を高めている。併せて、ベンチ形式の広々としたイメージからファション性も高く室内の景観を高め、機能性の一体化が計れより一層の利便性を高め問題点を解消している。
さらに、ネットの多用と上部を開放自在とするためペットの視野が拡大され空気の流れが確保され、複数のペットの飼育にも効果的で、ペットの出産から子育て時期にも効果が発揮され得るものでより高い次元で問題点を解消している。
【考案の効果】
【０００５】  上述の様に、請求項１・請求項２の本体とも周囲のネットの出し入れを自在とし、上部に蝶番を取付けた開閉式の蓋とすることで、上面からも各側面からもペットの出し入れや内部の清掃・トイレシートやマット等の交換がより簡便となる。また、ベンチに腰掛けてペットの行動を楽しむという効率性も一つの製品で達成され、機能性を多岐に高めペットの観望の領域を著しく高めたものである。
また、請求項１・請求項２とも単独で機能できる仕組みを持ち、居宅内の広さに応じて増結が可能ともなり、増結することで室内の周囲を自由にセッティングでき躍動するペットの周回行動が可能ともなり更なる機能が高まる。
なお、請求項１・請求項２ともサイズを変えることでペットの大小（犬であれば小型犬・中型犬・大型犬等）に対応することは可能である。
【考案の実施するための最良の形態】
【０００６】  請求項１・請求項２の本体の上面前部を開放自在の蓋とすることで、上部からの本体内部のペットシート等の出し入れや内部の清掃等保守管理等を簡便に実施可能としており、前面のネットは上方への取外しを自在としており前述の機能を維持しペットの出入れを可能としている。さらに、両請求項の側面のネットは前方への取外しを自在としており、解放面が多用され前述の機能を保持している。室内のコーナーを巧みに活用し室内状況に応じて両請求項とも複数の連結を可能としており、ペットの行動領域を大きく広げるとともにインテリアとしてのファション性を高めている。併せて両請求項ともベンチの機能を保持し、ペットの観察領域を大幅に広げ狭い居住空間の活用幅を高め、課題である人とペットとの融合にその価値観を高めたものである。
【実施例】
【０００７】  以下、添付図面に従って実施例を説明する。１は木製等の適宜素材にて一体化形成された室内用ベンチ式ペットハウス請求項１の本体。２は請求項１の上面２ｂの後部を固定し蝶番（図示せず）にて枢着した開放自在の蓋２ａでペットや置物等の上部からの出し入れを容易にしている。３は請求項１の前面部をネット３ａとし上方への取出しを自在（断面図３ｅ）としネットの内側中央を補強材３ｂにより複数人数に耐えるものとし、前面の両側に両側面（４・５）のネット（４ａ・５ａ）の取出し口（拡大図３ｃ・３ｄ）を設け手前のネットの取出しを自在としたもので前述の効果と清掃等の作業の効用を高くしている。請求項２と結合させる場合は側面のネット４ａ・５ａを取外し、請求項１を独立して使用する場合は両側面のネット４ａ・５ａを納めることで達成される。【０００８】  ６は木製等の適宜素材にて一体化形成された室内用ベンチ式ペットハウス請求項２の本体。７は請求項２の上面で後部７ｃ・７ｄを固定し蝶番（図示せず）にて枢着した開放自在の蓋７ａ・７ｂでペットや置物等の上部からの出し入れを容易にし、コーナーの角７ｆから角切り部７ｇまでを角切り幅と同じ補強材７ｅを設け、前面の角切り部８ａも同様に耐久力のあるネットで固定し複数人数の重量に耐えるものとし、両前面のネット８ｂ・８ｃの上方への取出しを自在（断面図３ｅと同じ）とし、両側面９・１０のネット９ａ・１０ａの取出し口８ｄ・８ｅ（拡大図３ｃ・３ｄと同じ）を設け手前えのネットの取出しを自在としたもので請求項１と同じ機能を持つ。請求項１と結合させる場合はいずれかの両側面のネット９ａないし１０ａを取外しペットの往来を可能とし、当考案の目的と本来の機能が発揮できるものとする。連結を重ねることで室内のインテリアとしての価値を高め併せてペットの行動領域の拡大となる。【０００９】  上述の様に、室内用ベンチ式ペットハウスはペットの収容場所として用いることは勿論、住居内での人とペットとの融合を原点としテ−マとした課題を、ベンチ式・連結式とし前面・側面を取外し自在としネットの多用と上部を開放自在とするため解放面が多く施され空気の流れが確保されペットの居心地を向上させている。室内のコーナーを巧みに活用し室内状況に応じて両請求項とも複数の連結を可能としており、ペットの視野が格段に拡大され観察領域を大きく広げ、変化に富んだ空間として見る楽しみを革新的に変えるものとして創造し具現化している。複数のペットの飼育にも効果的で、ペットの出産・子育て、排便・排尿、遊び休み寝ることの生活サイクルを考慮し、併せて行動範囲を大きく広げている。さらに、居住宅内に融和しインテリア効果をもたらし外観も家具調に仕上げることにより、ペット自体と飼育する人間社会の生活に新たな変化とより一層の利便性を向上させるものである。
また、本考案は組み立てによる製品化も容易である。
【図面の簡単な説明】
【００１０】
【図１】本考案の室内用ベンチ式ペットハウス〔請求項１〕の一実施例を示す立体図である。本考案の室内用ベンチ式ペットハウス〔請求項２〕の一実施例を示す立体図である。
【図２】請求項１・請求項２に共通する上方へ出し入れするネットを支える断面図である
【図３】請求項１・請求項２に共通するの前面部のネットの出し入れ口の詳細図である
【符号の説明】
【００１１】  １  室内用ベンチ式ペットハウス請求項１の本体
２  請求項１の上面
３  請求項１の前面
４  請求項１の側面
５  請求項１の４と相反する側面
６  室内用ベンチ式ペットハウス請求項２の本体
７  請求項２の上面
８  請求項２の前面
９  請求項２の側面
１０  請求項２の９と相反する側面
【図１】
0003122804.tif 000004
【図２】
0003122804.tif 000005
【図３】
0003122804.tif 000006
【手続補正書】
【提出日】平成18年3月15日(2006.3.15)
【手続補正１】
【補正対象書類名】実用新案登録請求の範囲
【補正対象項目名】全文
【補正方法】変更
【補正の内容】
【実用新案登録請求の範囲】
【請求項１】
直方体の骨組み本体の裏面と底部を板等の適宜素材にて覆い、正面と両側面に取外し自在のネットを設け、上面の後方３分の１の面を板等の適宜素材にて固定し、上面の前方３分の２部分を同一材質による蝶番を取付けた開閉式の蓋を設け、前面中央に補強材を垂直に設け人が腰掛けられるベンチ式としたもので、裏面を除く周囲３面のネットを取外し自在とし解放面を多用し上面を開閉式とし、両サイドを連結可能とし多義の機能性を取り入れ、ペットの住まいとベンチの機能を併せたところを特徴とする室内用ベンチ式ペットハウス。
【請求項２】
９０度角の室内のコーナーに設けるＬ型角切り直方体の骨組み本体の壁に接する裏側２面と底部を板等の適宜素材にて覆い、壁と相対する２つの前面・側面を取外し自在のネットとし、角切り部分の前面を耐久力のあるネットで固定し、上面は室内壁に接する角から角切りのコーナー寄りの角で左右に分け２面とし請求項１と同じくそれぞれの上面の後方の３分の１を板等で固定し他を蝶番を用いた開閉式の蓋とし、解放面を多用し両サイドを連結可能とし、室内のコーナーを活用しペットの行動範囲を広げ併せてベンチの機能を保持し、請求項１と連結することで一体となりペットの行動領域と観察領域を大幅に広げ、狭い居住空間の活用幅を高めたところを特徴とする請求項１記載のペットハウスと共に用いる室内用ベンチ式ペットハウス。